(57)【要約】【課題】簡易に作業空間の視認性を確保することが可能な歯科技工作業用ケースを提供する。【解決手段】歯科技工作業用ケース１００は、相互の縁辺部が沿いあって回動自在に結合された矩形状のパネル１１０及びパネル１２０と、これらパネル１１０及びパネル１２０とを、所定の角度に開いた状態にて支持する一方、相互の対向面を合わせた状態にし得る枠材１４０とを有し、枠材１４０にて所定の角度に開いた状態に支持されたパネル１１０及びパネル１２０の結合された縁辺部と逆側の先端縁辺部の間を覆うようにラップ１６０をパネル１１０及びパネル１２０に巻き付けることにより、パネル１１０、パネル１２０及びラップ１６０によって囲まれた作業空間２００が形成されるようにした。【選択図】図１
2009125381.tif 000002
【特許請求の範囲】
【請求項１】
相互の縁辺部が沿いあって回動自在に結合された矩形状の第１板状部材と第２板状部材と、
前記第１板状部材と前記第２板状部材とを、所定の角度に開いた第１の状態にて支持する一方、相互の対向面を合わせた第２の状態にし得る可動支持部材とを有し、
前記可動支持部材にて前記第１の状態に支持された前記第１板状部材及び前記第２板状部材の結合された前記縁辺部と逆側の先端縁辺部の間を覆うように透明フィルムを前記第１板状部材と前記第２板状部材に巻き付けることにより、前記第１板状部材、前記第２板状部材及び透明フィルムによって囲まれた作業空間が形成されるようにした歯科技工作業用ケース。
【請求項２】
前記可動支持部材は、前記第１板状部材の前記第２板状部材との対向面における先端縁辺部の近傍に該先端縁辺部に沿って回動自在に取り付けられ、前記第２板状部材の前記第１板状部材との対向面における先端縁辺部の近傍に当接して前記第２板状部材を支持する枠体を有する請求項１記載の歯科技工作業用ケース。
【請求項３】
前記第２板状部材の前記枠体の当接すべき部位に凸部が形成されている請求項２に記載の歯科技工作業用ケース。
【請求項４】
前記第２板状部材に形成される開口部を有し、
前記開口部に吸引装置の吸引口が取り付けられるようにした請求項１乃至３のいずれかに記載の歯科技工作業用ケース。
【請求項５】
相互の縁辺部が沿いあって回動自在に結合された矩形状の第１板状部材と第２板状部材と、
前記第１板状部材と前記第２板状部材とを、所定の角度に開いた第１の状態にて支持する一方、相互の対向面を合わせた第２の状態にし得る可動支持部材と、
前記可動支持部材にて前記第１の状態に支持された前記第１板状部材及び前記第２板状部材の結合された前記縁辺部と逆側の先端縁辺部の間を覆うように前記第１板状部材と前記第２板状部材に巻き付けられた透明フィルムとを有する歯科技工作業用ケース。
【請求項６】
前記透明フィルムは、ポリ塩化ビニリデンである請求項５記載の歯科技工作業用ケース。
【発明の詳細な説明】
【技術分野】
【０００１】
本発明は、義歯の製作等において用いられる歯科技工作業用ケースに関する。
【背景技術】
【０００２】
義歯の製作においては、整形のために石膏模型や、人工歯、金属部品、樹脂製義歯床等の切削や研磨作業が行われる。この切削、研磨作業においては、石膏、レジン、金属、研磨材等の削りクズや粉塵が生じる。このような削りクズや粉塵は、皮膚や着衣に付着しやすく、また、作業者に吸引される可能性もあるため、飛散を防止する必要がある。
【０００３】
そこで、例えば特許文献１に示すような歯科技工用のケースが知られている。このような歯科技工作業用ケースは、３枚のパネルをつなぎ合わせてなり、その使用時に側方から見た形状が三角形となるように組み上げ、非使用時には３枚のパネルを折り畳んで容易に携帯できるものとなっている。これらパネルのうちの１枚は透明パネルであって、組み上げられた状態で作業者の正面に位置する。作業者は、その組み上げられた３枚のパネルによって囲まれた空間（作業空間）に、手にした義歯と研磨器具とを側方から差し入れて、義歯の研磨作業を行う。このような歯科技工作業用ケースを用いることで、３枚のパネルが粉塵の飛散を防止する。
【特許文献１】特開２００３−２１０４９１号公報
【発明の開示】
【発明が解決しようとする課題】
【０００４】
しかしながら、上述した歯科技工作業用ケースでは、３枚のパネルが一体化している。このため、透明パネルに粉塵が付着して作業空間の視認性が低下した場合に、その透明パネルのみを交換することで、簡易に視認性を確保するということができず、付着した粉塵を除去する作業が必要となる。
【０００５】
本発明は、このような事情に鑑みてなされたもので、簡易に作業空間の視認性を確保することが可能な歯科技工作業用ケースを提供するものである。
【課題を解決するための手段】
【０００６】
本発明の歯科技工作業用ケースは、相互の縁辺部が沿いあって回動自在に結合された矩形状の第１板状部材と第２板状部材と、前記第１板状部材と前記第２板状部材とを、所定の角度に開いた第１の状態にて支持する一方、相互の対向面を合わせた第２の状態にし得る可動支持部材とを有し、前記可動支持部材にて前記第１の状態に支持された前記第１板状部材及び前記第２板状部材の結合された前記縁辺部と逆側の先端縁辺部の間を覆うように透明フィルムを前記第１板状部材と前記第２板状部材に巻き付けることにより、前記第１板状部材、前記第２板状部材及び透明フィルムによって囲まれた作業空間が形成されるようにした。
【０００７】
この構成によれば、作業者の正面に位置することになる透明フィルムは、第１の板状部材から第２の板状部材にかけて巻き付けられるのみであり、従来のように板状部材と一体化されていない。従って、透明フィルムに粉塵が付着して作業空間の視認性が低下した場合には、その透明フィルムを簡易に交換することができ、その結果、簡易に作業空間の視認性を確保することができる。
【０００８】
また、本発明の歯科技工作業用ケースは、前記可動支持部材が、前記第１板状部材の前記第２板状部材との対向面における先端縁辺部の近傍に該先端縁辺部に沿って回動自在に取り付けられ、前記第２板状部材の前記第１板状部材との対向面における先端縁辺部の近傍に当接して前記第２板状部材を支持する枠体を有するようにしてもよい。
【０００９】
また、本発明の歯科技工作業用ケースは、前記第２板状部材の前記枠体の当接すべき部位に凸部が形成されているようにしてもよい。
【００１０】
この構成によれば、凸部に枠材を当接させることで、当該枠材の移動を規制し、歯科技工作業用ケースの姿勢を適切なものに維持することができる。
【００１１】
また、本発明の歯科技工作業用ケースは、前記第２板状部材に形成される開口部を有し、前記開口部に吸引装置の吸引口が取り付けられるようにしてもよい。
【００１２】
この構成によれば、第２の板状部材の開口部に吸引装置の吸引口が取り付けられることで、当該吸引装置の稼動によって、作業空間内の粉塵や透明フィルムに付着した粉塵を吸引することが可能となる。
【００１３】
本発明の歯科技工作業用ケースは、相互の縁辺部が沿いあって回動自在に結合された矩形状の第１板状部材と第２板状部材と、前記第１板状部材と前記第２板状部材とを、所定の角度に開いた第１の状態にて支持する一方、相互の対向面を合わせた第２の状態にし得る可動支持部材と、前記可動支持部材にて前記第１の状態に支持された前記第１板状部材及び前記第２板状部材の結合された前記縁辺部と逆側の先端縁辺部の間を覆うように前記第１板状部材と前記第２板状部材に巻き付けられた透明フィルムとを有する。
【００１４】
また、本発明の歯科技工作業用ケースは、前記透明フィルムが、ポリ塩化ビニリデンであるようにしてもよい。
【００１５】
この構成によれば、他の部材への密着性が高く、難燃性のポリ塩化ビニリデンを透明フィルムとして用いることで、当該透明フィルムの交換時の巻き付けを容易に行うことが可能となるとともに、高温の切削片が付着した場合に燃焼してしまうことが防止される。
【発明の効果】
【００１６】
本発明によれば、透明フィルムに粉塵が付着して作業空間の視認性が低下した場合には、その透明フィルムを簡易に交換することができ、その結果、簡易に作業空間の視認性を確保することができる。
【発明を実施するための最良の形態】
【００１７】
以下、本発明の実施の形態について、図面を参照して具体的に説明する。図１は、本発明の実施形態に係る歯科技工作業用ケースの斜視図、図２は組み立て時の正面図（図２（ａ））及び側面図（図２（ｂ））、図３は展開図である。
【００１８】
歯科技工作業用ケースは、義歯の製作時における研磨等に用いられるものである。図１乃至図４に示すように、歯科技工作業用ケース１００は、第１の板状部材としてのパネル１１０、第２の板状部材としてのパネル１２０、蝶番１３０−１及び１３０−２、枠材１４０、支持部１５０−１及び１５０−２、凸部１５２−１及び１５２−２を有する。
【００１９】
パネル１１０及びパネル１２０は、それぞれ矩形状である。これらパネル１１０及びパネル１２０には、蝶番１３０−１及び１３０−２が取り付けられている。これら蝶番１３０−１及び１３０−２によって、パネル１１０及びパネル１２０は、相互の縁辺部が沿いあって回動自在に結合されている。
【００２０】
枠材１４０は、支持部１５０−１及び１５０−２によって、パネル１１０のパネル１２０との対向面における先端縁辺部の近傍に、当該先端縁辺部に沿って回動自在に取り付けられている。
【００２１】
このように、パネル１１０とパネル１２０とが蝶番１３０−１及び１３０−２によって結合され、枠材１４０が支持部１５０−１及び１５０−２によってパネル１１０に取り付けられることにより、これらパネル１１０、パネル１２０及び枠材１４０は一体となっている。また、これらパネル１１０、パネル１２０及び枠材１４０は、図３の長手方向の長さがほぼ同一となっている。
【００２２】
また、枠材１４０は、パネル１２０のパネル１１０との対向面における先端縁辺部の近傍に当接してパネル１２０を支持する。パネル１２０における枠材１４０の当接部位には、凸部１５２−１及び１５２−２が取り付けられている。これら凸部１５２−１及び１５２−２に枠材１４０が当接することにより、歯科技工作業用ケース１００が組み立てられる。
【００２３】
更には、歯科技工作業時には、パネル１１０及びパネル１２０の結合された縁辺部と逆側の先端縁辺部の間を覆うように透明フィルムとしてのラップ１６０がパネル１１０とパネル１２０とに巻き付けられる。ポリ塩化ビニリデンからなるラップ１６０は、他の部材への密着性が高い。従って、ラップ１６０をパネル１１０及びパネル１２０に巻き付けて密着させることは容易である。また、ポリ塩化ビニリデンからなるラップ１６０は、難燃性を有するため、高温の切削片又は粒子が付着した場合に燃焼してしまうことが防止される。これにより、パネル１１０、パネル１２０及びラップ１６０によって囲まれた三角柱状の空間が作業空間２００として形成される。
【００２４】
図４は、歯科技工作業用ケース１００を用いた歯科技工作業時の状態を作業者側から見た図である。図４に示すように、作業者は、義歯２１０と研磨器具２２０とをそれぞれ片手に保持して、作業空間２００の左端及び右端から当該作業空間２００に差し入れる。作業者は、正面に位置するラップ１６０を介して作業空間２００を視認することができる。従って、作業者は、作業空間２００に差し入れた義歯２１０の状態を見ながら、研磨器具２２０を用いて当該義歯２１０の研磨作業を行うことが可能となる。作業者と作業空間２００との間はラップ１６０によって遮られているため、義歯２１０の研磨によって生じるレジン、研磨材、金属等の削りクズや粉塵が作業者の側に飛散することが防止される。なお、歯科技工作業用ケース１００を用いた歯科技工作業では、用いられる器具は研磨器具２２０に限定されず、研削器具等、義歯の製作に必要な様々な器具であればよい。
【００２５】
また、上述した歯科技工作業用ケース１００は、折りたたんで持ち運びが可能である。図５は、歯科技工作業用ケース１００の折りたたみ時の上面図（図５（ａ））及び側面図（図５（ｂ））である。
【００２６】
上述したように、パネル１２０は、蝶番１３０−１及び１３０−２によって、パネル１１０に対して回転自在に取り付けられており、枠材１４０は、支持部１５０−１及び１５０−２によってパネル１１０に対して回転自在に取り付けられている。従って、図３に示す状態から枠材１４０をパネル１１０の側に向けて回転させ、更に、パネル１２０をパネル１１０の側に向けて回転させることで、図５に示すように折りたたんだ状態とすることができる。折りたたむことにより、パネル１１０、パネル１２０及び枠材１４０が１枚の板状となって、歯科技工作業用ケース１００を簡易に持ち運びができるようになっている。
【００２７】
また、作業空間２００内の粉塵を吸引するようにしてもよい。この場合には、パネル１２０に形成された開口部１２２（図１参照）が用いられる。図６は、作業空間２００内の粉塵を吸引する場合の歯科技工作業用ケース１００の側面図である。図６に示すように、パネル１２０の開口部１２２には、吸引装置（図示せず）の吸引口２５０が取り付けられる。
【００２８】
吸引装置は、この吸引口２５０を介して、義歯２１０を研磨器具２２０で研磨することによって生じ、作業空間２００を浮遊する粉塵や、ラップ１６０に付着する粉塵を吸引する。
【００２９】
上述したように、本実施形態の歯科技工作業用ケース１００は、作業者の正面に位置することになるラップ１６０は、パネル１１０及びパネル１２０に巻き付けられるのみであり、従来のようにパネルと一体化されていない。従って、ラップ１６０に粉塵が付着して作業空間２００の視認性が低下してラップ１６０の交換が必要になった場合には、その交換を簡易に行うことが可能であり、その結果、簡易に作業空間２００の視認性を確保することができる。更には、従来のような透明パネルは不要であり、軽量化を図って持ち運びを容易にすることができる。
【００３０】
また、歯科技工作業用ケース１００では、パネル１２０に凸部１５２−１及び１５２−２を設けることにより、当該凸部１５２−１及び１５２−２に枠材１４０を当接させて、当該枠材１４０の移動を規制し、歯科技工作業用ケース１００の姿勢を適切なものに維持することができる。
【００３１】
また、歯科技工作業用ケース１００では、ラップ１６０が他の部材への密着性が高く、難燃性であるポリ塩化ビニリデンからなるものであるため、ラップ１６０の交換時の巻き付けを容易に行うことが可能となるとともに、高温の粉塵が付着した場合に燃焼してしまうことが防止される。
【００３２】
また、歯科技工作業用ケース１００では、パネル１２０の開口部１２２に吸引装置の吸引口２５０が取り付けられることで、当該吸引装置の稼動によって、作業空間２００内を浮遊する粉塵やラップ１６０に付着する粉塵を吸引することで、作業空間２００の清浄を確保することができる。また、ラップ１６０への粉塵の付着を抑制して、当該ラップ１６０の交換頻度を減らすことも可能となる。
【産業上の利用可能性】
【００３３】
以上、説明したように、本発明に係る歯科技工作業用ケースは、簡易に作業空間の視認性を確保することが可能であり、歯科技工作業用ケースとして有用である。
【図面の簡単な説明】
【００３４】
【図１】本発明の実施形態に係る歯科技工作業用ケースの斜視図である。
【図２】本発明の実施形態に係る歯科技工作業用ケースの組み立て時の正面図及び側面図である。
【図３】本発明の実施形態に係る歯科技工作業用ケースの展開図である。
【図４】本発明の実施形態に係る歯科技工作業用ケースを用いた歯科技工作業時の状態を作業者側から見た図である。
【図５】本発明の実施形態に係る歯科技工作業用ケースの折りたたみ時の上面図及び側面図である。
【図６】作業空間内の粉塵を吸引する場合の本発明の実施形態に係る歯科技工作業用ケースの側面図である。
【符号の説明】
【００３５】
１００  歯科技工作業用ケース
１１０、１２０  パネル
１２２  開口部
１３０−１、１３０−２  蝶番
１４０  枠材
１５０−１、１５０−２  支持部
１５２−１、１５２−２  凸部
１６０  ラップ
２００  作業空間
２１０  義歯
２２０  研磨器具
２５０  吸引口
【図１】
2009125381.tif 000003
【図２】
2009125381.tif 000004
【図３】
2009125381.tif 000005
【図４】
2009125381.tif 000006
【図５】
2009125381.tif 000007
【図６】
2009125381.tif 000008